【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
生体の一部の体表面を、拡大率を変化させながら近赤外光により撮像し、拡大率の異なる複数の近赤外光撮像データを生成する撮像部と、
前記複数の近赤外光撮像データそれぞれから、各近赤外光撮像データに対応する複数の静脈パターンを抽出する静脈パターン抽出部と、
抽出した前記複数の静脈パターンに対して、各静脈パターンに対応するフラクタル次元を算出するフラクタル次元算出部と、
算出した前記フラクタル次元に基づいて、撮像した前記体表面の一部に作為的に形成された擬似静脈パターンの有無を判定する擬似静脈パターン判定部と、
前記擬似静脈パターン判定部の判定結果に基づいて前記近赤外光静脈パターンを登録し、登録静脈パターンとする静脈パターン登録部と、
を備える、静脈パターン登録装置。
【請求項２】
前記擬似静脈パターン判定部は、
算出された前記フラクタル次元が、所定のフラクタル次元閾値よりも小さい場合に、前記擬似静脈パターンが存在すると判定し、
算出された前記フラクタル次元が、所定のフラクタル次元閾値よりも大きい場合に、前記擬似静脈パターンが存在しないと判定する、請求項１に記載の静脈パターン登録装置。
【請求項３】
前記フラクタル次元算出部は、
前記静脈パターンを構成する複数の画素について、ボックスカウント法を用いて前記フラクタル次元を算出する、請求項１に記載の静脈パターン登録装置。
【請求項４】
前記静脈パターン抽出部は、
前記近赤外光撮像データを構成する複数の画素について、周囲の画素との差分が大きな画素において大きな値を出力する差分フィルタを用い、前記近赤外光静脈パターンを抽出する、請求項１に記載の静脈パターン登録装置。
【請求項５】
前記差分フィルタは、微分フィルタである、請求項４に記載の静脈パターン登録装置。
【請求項６】
前記差分フィルタは、Ｌｏｇ（Ｌａｐｌａｃｉａｎ  ｏｆ  Ｇａｕｓｓｉａｎ）フィルタである、請求項５に記載の静脈パターン登録装置。
【請求項７】
生体の一部の体表面を、拡大率を変化させながら近赤外光により撮像し、拡大率の異なる複数の近赤外光撮像データを生成する撮像部と、
前記複数の近赤外光撮像データそれぞれから、各近赤外光撮像データに対応する複数の静脈パターンを抽出する静脈パターン抽出部と、
抽出した前記複数の静脈パターンに対して、各静脈パターンに対応するフラクタル次元を算出するフラクタル次元算出部と、
算出した前記フラクタル次元に基づいて、撮像した前記体表面の一部に作為的に形成された擬似静脈パターンの有無を判定する擬似静脈パターン判定部と、
前記擬似静脈パターン判定部の判定結果に基づいて、既に登録されている登録静脈パターンと前記近赤外光静脈パターンとを比較し、当該近赤外光静脈パターンの認証を行う静脈パターン認証部と、
を備える、静脈パターン認証装置。
【請求項８】
前記擬似静脈パターン判定部は、
算出された前記フラクタル次元が、所定のフラクタル次元閾値よりも小さい場合に、前記擬似静脈パターンが存在すると判定し、
算出された前記フラクタル次元が、所定のフラクタル次元閾値よりも大きい場合に、前記擬似静脈パターンが存在しないと判定する、請求項７に記載の静脈パターン認証装置。
【請求項９】
前記フラクタル次元算出部は、
前記静脈パターンを構成する複数の画素について、ボックスカウント法を用いて前記フラクタル次元を算出する、請求項７に記載の静脈パターン認証装置。
【請求項１０】
前記静脈パターン抽出部は、
前記近赤外光撮像データを構成する複数の画素について、周囲の画素との差分が大きな画素において大きな値を出力する差分フィルタを用い、前記近赤外光静脈パターンを抽出する、請求項７に記載の静脈パターン認証装置。
【請求項１１】
前記差分フィルタは、微分フィルタである、請求項１０に記載の静脈パターン認証装置。
【請求項１２】
前記差分フィルタは、Ｌｏｇ（Ｌａｐｌａｃｉａｎ  ｏｆ  Ｇａｕｓｓｉａｎ）フィルタである、請求項１１に記載の静脈パターン認証装置。
【請求項１３】
前記静脈パターン認証部は、
静脈パターン登録装置から取得した前記登録静脈パターンに基づいて、前記近赤外光静脈パターンを認証する、請求項７に記載の静脈パターン認証装置。
【請求項１４】
前記静脈パターン認証部は、
前記静脈パターン認証装置内に登録されている前記登録静脈パターンに基づいて、前記近赤外光静脈パターンを認証する、請求項７に記載の静脈パターン認証装置。
【請求項１５】
生体の一部に光を照射して取得した静脈パターンを登録する静脈パターン登録方法であって、
生体の一部の体表面を、拡大率を変化させながら近赤外光により撮像し、拡大率の異なる複数の近赤外光撮像データを生成するステップと、
前記複数の近赤外光撮像データそれぞれから、各近赤外光撮像データに対応する複数の静脈パターンを抽出するステップと、
抽出した前記複数の静脈パターンに対して、各静脈パターンに対応するフラクタル次元を算出するステップと、
算出した前記フラクタル次元に基づいて、撮像した前記体表面の一部に作為的に形成された擬似静脈パターンの有無を判定するステップと、
判定結果に基づいて、前記静脈パターンを登録静脈パターンとして登録するステップと、
を備える、静脈パターン登録方法。
【請求項１６】
生体の一部に光を照射して取得した静脈パターンを認証する静脈パターン認証方法であって、
生体の一部の体表面を、拡大率を変化させながら近赤外光により撮像し、拡大率の異なる複数の近赤外光撮像データを生成するステップと、
前記複数の近赤外光撮像データそれぞれから、各近赤外光撮像データに対応する複数の静脈パターンを抽出するステップと、
抽出した前記複数の静脈パターンに対して、各静脈パターンに対応するフラクタル次元を算出するステップと、
算出した前記フラクタル次元に基づいて、撮像した前記体表面の一部に作為的に形成された擬似静脈パターンの有無を判定するステップと、
判定結果に基づいて既に登録されている登録近赤外光静脈パターンと比較し、前記静脈パターンを認証するステップと、
を備える、静脈パターン認証方法。
【請求項１７】
コンピュータを、生体の一部に光を照射して取得した静脈パターンの登録を行なう静脈パターン登録装置として機能させるためのプログラムであって、
生体の一部の体表面を、拡大率を変化させながら近赤外光により撮像し、拡大率の異なる複数の近赤外光撮像データを生成する撮像機能と、
前記複数の近赤外光撮像データそれぞれから、各近赤外光撮像データに対応する複数の静脈パターンを抽出する静脈パターン抽出機能と、
抽出した前記複数の静脈パターンに対して、各静脈パターンに対応するフラクタル次元を算出するフラクタル次元算出機能と、
算出した前記フラクタル次元に基づいて、撮像した前記体表面の一部に作為的に生成された擬似静脈パターンの有無を判定する擬似静脈パターン判定機能と、
前記擬似静脈パターン判定機能の判定結果に基づいて前記近赤外光静脈パターンを登録し、登録静脈パターンとする静脈パターン登録機能と、
をコンピュータに実現させるためのプログラム。
【請求項１８】
コンピュータを、生体の一部に光を照射して取得した静脈パターンの認証を行なう静脈パターン認証装置として機能させるためのプログラムであって、
生体の一部の体表面を、拡大率を変化させながら近赤外光により撮像し、拡大率の異なる複数の近赤外光撮像データを生成する撮像機能と、
前記複数の近赤外光撮像データそれぞれから、各近赤外光撮像データに対応する複数の静脈パターンを抽出する静脈パターン抽出機能と、
抽出した前記複数の静脈パターンに対して、各静脈パターンに対応するフラクタル次元を算出するフラクタル次元算出機能と、
算出した前記フラクタル次元に基づいて、撮像した前記体表面の一部に作為的に生成された擬似静脈パターンの有無を判定する擬似静脈パターン判定機能と、
前記擬似静脈パターン判定機能の判定結果に基づいて、既に登録されている登録静脈パターンと前記近赤外光静脈パターンとを比較し、当該近赤外光静脈パターンの認証を行う静脈パターン認証機能と、
をコンピュータに実現させるためのプログラム。
【請求項１９】
近赤外光により撮像して取得した被照合用の画像データと照合される、個人の静脈パターンに対応したデータが格納される静脈データ格納領域と、
前記個人の静脈パターンのフラクタル次元が格納されるフラクタル次元格納領域と、
前記近赤外光により撮像して取得した画像データを構成する各画素について、周囲の画素との差分が大きな画素において大きな値を出力する差分フィルタに対し、当該差分フィルタの出力特性を変化させるパラメータを格納するパラメータ格納領域と、
を備え、
前記パラメータは、
前記近赤外光により撮像して取得した画像データが静脈部分であることを示す値と非静脈部分であることを示す値との差分よりも大きな差分を有する場合に、前記差分フィルタの出力値を大きく変化させるものである、静脈データ構造。
【請求項２０】
生体の一部に光を照射して取得した静脈パターンの登録および認証を行なう静脈パターン管理システムであって、
生体の一部の体表面を、拡大率を変化させながら近赤外光により撮像し、拡大率の異なる複数の近赤外光撮像データを生成する撮像部と、
前記複数の近赤外光撮像データそれぞれから、各近赤外光撮像データに対応する複数の静脈パターンを抽出する静脈パターン抽出部と、
抽出した前記複数の静脈パターンに対して、各静脈パターンに対応するフラクタル次元を算出するフラクタル次元算出部と、
算出した前記フラクタル次元に基づいて、撮像した前記体表面の一部に作為的に形成された擬似静脈パターンの有無を判定する擬似静脈パターン判定部と、
前記判定部の判定結果に基づいて前記近赤外光静脈パターンを登録し、登録静脈パターンとする静脈パターン登録部と、
前記擬似静脈パターン判定部の判定結果に基づいて新たに生成された近赤外光静脈パターンと前記登録静脈パターンとを比較し、当該新たに生成された近赤外光静脈パターンを認証する静脈パターン認証部と、
を備える、静脈パターン管理システム。
【手続補正２】
【補正対象書類名】明細書
【補正対象項目名】０１１２
【補正方法】変更
【補正の内容】
【０１１２】
静脈パターン抽出部３１１は、このようにして抽出した静脈パターンやスケルトンを、後述するフラクタル次元算出部３２１に伝送する。また、静脈パターン抽出部３１１は、抽出した静脈パターンやスケルトンを、後述する記憶部３４３に記憶してもよい。なお、静脈パターン抽出部３１１は、上述の各処理を行なうに当たって生成したパラメータや処理の途中経過等を、記憶部３４３に記憶してもよい。